(57)【要約】【課題】液体貯留タンクの大きさに応じて製作する必要がなく、より一層簡単に液体貯留タンクに取付けられる液体供給装置を提供する。【解決手段】液体供給装置を液貯留用の大型タンクＴに連結して該大型タンクＴから流入する液体Ｌを充満させた密閉式の小型タンク２と、該小型タンク２の天板2a上に設置した駆動部６と小型タンク２内の液体Ｌ中に浸漬して液体Ｌを小型タンク２外部へ移送するポンプ本体７とを伝動軸を介して連繋した液送ポンプ３とから構成することにより、大型タンクＴの大きさに関係なく大きさが一定な密閉式の小型タンク２に所定能力を有する液送ポンプ３を装備して大型タンクＴに連結するだけで、大型タンクＴ内の液体Ｌを小型タンク２を介して簡単に供給できる。【選択図】図１
2010281293.tif 000002
【特許請求の範囲】
【請求項１】
液貯留用の大型タンクに連結して該大型タンクから流入する液体を充満させた密閉式の小型タンクと、該小型タンクの天板上に設置した駆動部と小型タンク内の液体中に浸漬して液体を小型タンク外部へ移送するポンプ本体とを伝動軸を介して連繋した液送ポンプとから成ることを特徴とする液体供給装置。
【請求項２】
小型タンクには、空気抜き手段を設けたことを特徴とする請求項１記載の液体供給装置。
【請求項３】
伝動軸における小型タンクの挿通部位に軸封装置を設けたことを特徴とする請求項１又は２記載の液体供給装置。
【発明の詳細な説明】
【技術分野】
【０００１】
本発明は、簡易水道の滅菌・消毒用の次亜塩素酸ナトリウム溶液を水道配管中に定量注入するために主に用いられる液体供給装置に関する。
【背景技術】
【０００２】
特許文献１には、液体貯留用の大型タンクの上下を連結した有底筒状の縦長パイプと、該縦長パイプ内の下端部に液体中に浸漬されるポンプ本体を設けると共に、該ポンプ本体の駆動部を縦長パイプの上端部上に配置した縦長ポンプとから成る液体供給装置が開示されている。
【先行技術文献】
【特許文献】
【０００３】
【特許文献１】特開２００８−１２８０５６号公報
【発明の概要】
【発明が解決しようとする課題】
【０００４】
上記液体供給装置は、縦長ポンプを大型タンクに直接設置するよりも簡単に設置できるが、大型タンクの高さに対応する様に縦長パイプ及び縦長ポンプを製作せねばならないので、汎用性に欠け、製造コストが高騰するなどの課題を有している。
そこで、本発明では、従来の様に液体貯留タンクの大きさに応じて製作する必要がなく、より一層簡単に液体貯留タンクに取付けられる液体供給装置を提供することを目的としている。
【課題を解決するための手段】
【０００５】
上記課題に鑑み、本発明の液体供給装置は、液貯留用の大型タンクに連結して該大型タンクから流入する液体を充満させた密閉式の小型タンクと、該小型タンクの天板上に設置した駆動部と小型タンク内の液体中に浸漬して液体を小型タンク外部へ移送するポンプ本体とを伝動軸を介して連繋した液送ポンプとから構成したことを主な特徴としている。
【発明の効果】
【０００６】
要するに本発明は、液貯留用の大型タンクに液送ポンプを装備した密閉式の小型タンクを連結し、その内部に大型タンクから流入する液体を充満させたので、小型タンクにはこれに大きさが対応した液送ポンプを装備して該液送ポンプを運転することにより、小型タンクを介して大型タンク内の液体を移送できる。
よって、本発明によれば、大型タンクの大きさに関係なく大きさが一定な密閉式の小型タンクに所定能力を有する液送ポンプを装備して大型タンクに連結するだけで、大型タンク内の液体を簡単に供給できるから、汎用性に富んだ液体供給装置を提供できると共に、該液体供給装置の部品の共通化が図れ、量産も容易で製造コストをも低減できる。
【０００７】
小型タンクの大きさは適宜に設定することが可能なため、装置全体の小型化が容易となり、その設置スペースを縮小でき、取付け作業も単に小型タンクを大型タンクに連結するだけのため簡単で、大型タンクとの連結配管を延長すれば、大型タンクに隣接せずとも適宜場所に設置できる。
又、小型タンク内に液体を常に充満させる様に保持できる様にすれば、大型タンクの既設配管の途中に取付けることも可能である。
【０００８】
液送ポンプは、ポンプ本体が小型タンク内の液体に浸漬しているから、その液体が簡易水道の滅菌や消毒用の次亜塩素酸ナトリウム溶液の様に遊離ガスの発生し易い性質を有していても、その遊離ガスを吸込まずに正常に液体を小型タンクから外部へ移送できる。
【０００９】
又、小型タンクに空気抜き手段を備えたので、小型タンク内に滞留した空気や液体から遊離したガスを外部へ排気することで確実に小型タンク内に液体のみを充満させることができ、支障なくポンプを運転させることができる。
【００１０】
更に、伝動軸における小型タンクの挿通部位に軸封装置を設けたので、ポンプ本体の運転のために駆動部により小型タンクを貫く伝動軸が作動しても、かかる部位から外部への液漏れがなく、これにより小型タンク内に液体を常に充満させられ、支障なくポンプを運転させることができる等その実用的効果甚だ大である。
【図面の簡単な説明】
【００１１】
【図１】液体供給装置の一使用例を示す正面図である。
【図２】液体供給装置の平面図である。
【図３】同上左側面図である。
【図４】図２のＡ−Ａ断面図である。
【発明を実施するための形態】
【００１２】
以下本発明の実施の一形態例を図面に基づいて説明する。
本発明に係る液体供給装置１は、液貯留用の大型タンクＴに連結して該大型タンクＴから流入する液体（次亜塩素酸ナトリウム溶液）Ｌを充満させた密閉式の小型タンク２と、該小型タンク２内の液体Ｌを外部へ移送する液送ポンプ３とから主に構成されている。
【００１３】
小型タンク２は、所定能力を有する液送ポンプ３を設置可能な大きさを有し、内部が視認できる様に一側面上方に嵌め殺しの視認用窓を設けるか、少なくとも一側面、或いは図示例の如く側面全体が透明な強化プラスチックで形成された密閉箱から成る。
そして、小型タンク２は、大型タンクＴの下部に止め弁４を介して連結している。
又、小型タンク２の天板2aには、その内部に液体Ｌのみを充満させるための空気抜き手段５を設けている。
【００１４】
液送ポンプ３は、小型タンク２の天板2a上の中央に設置した駆動部６と小型タンク２内の液体Ｌ中に浸漬して液体Ｌを小型タンク２外部へ移送するポンプ本体７とを伝動軸８を介して連繋している。
【００１５】
駆動部６は、小型タンク２の天板2a上面にテーブル９を配置すると共に、該テーブル９上の中央に設置した円筒状の透明カバー10の内外に組み付けられ、該透明カバー10の上蓋付きモータベース10ａ上に、駆動軸11ａを下向きにした減速機付きモータ11を設置し、該モータ11の駆動軸11ａはモータベース10ａを貫通している。
【００１６】
モータベース10ａとテーブル９との間には、直立させた円筒カム12を回転自在に組み付けると共に、該円筒カム12の上端軸をモータ11の駆動軸11ａに連結している。
円筒カム12は、その周側面に略楕円状のカム溝12ａを刻設し、上端軸に原動歯車13を外嵌している。
【００１７】
伝動軸８は、円筒カム12に平行に隣接配置され、回転動作を伝動する回転軸8aと、上下動作を伝動する昇降軸8bとがスプライン軸接手8cにて連結されている。
回転軸8aは、上端がモータベース10ａに回転自在に支持されると共に、下端が円筒カム12の高さ方向の中間部辺りに位置する短尺軸から成り、その上端近傍には原動歯車13に噛合する従動歯車14を軸着している。
【００１８】
スプライン軸接手8cは、軸回りに多数条の縦筋歯（図示せず）を刻設した回転軸8a下端と、この下端に対し内底が上下遠近移動可能な深さを有し、且つ前記縦筋歯に噛合する縦筋溝（図示せず）を内周に刻設して回転軸8a下端を上下摺動自在に挿嵌する有底筒状の昇降軸8b上端とから成り、該昇降軸8b上端には、縦筋歯と縦筋溝の噛合で回転軸8aの回転が伝動される昇降軸8bの軸回りの回転を支持する横長角柱状のカムフォロア15を外嵌している。
【００１９】
カムフォロア15において円筒カム12に隣接する側部に係合ノブ15ａを突設し、該係合ノブ15ａを円筒カム12のカム溝12ａ内に摺動自在に装着している。
カムフォロア15は、その両サイドがテーブル９とモータベース10ａ間に直立させた一対のリニアレール10ｂに上下摺動自在に装着され、上下動できるが、回転できない様に成している。
【００２０】
そして、伝動軸８の下方（昇降軸8b）は、テーブル９を遊貫すると共に、小型タンク２の天板2aに開設した開口部2bから小型タンク２の内底近くに配置したポンプ本体７上端へ水密状に連結する様に垂設したスリーブ16内に挿入し、昇降軸8bの下端を可撓接手17を介してポンプ本体７内に設けたプランジャ18の上端に連結している。
【００２１】
スリーブ16は、その上方開口端にフランジ16ａを周設し、該フランジ16ａにて天板2aの開口部2bを水密状に閉塞している。
又、スリーブ16の上方開口部であって、伝動軸８（昇降軸8b）における小型タンク２の挿通部位には軸封装置19を設けている。
【００２２】
軸封装置19は、下端中心に昇降軸8bを上下摺動及び回転可能にして、且つ水密状に挿通すると共に、内部に昇降軸8bとの環状空間を有してスリーブ16の上方開口部に水密状に螺入したパッキン箱20と、該パッキン箱20内の環状空間に昇降軸8bを取り巻いて装填される複数のグランドパッキン21と、中心に昇降軸8bを挿通し、且つグランドパッキン21を圧迫する様にパッキン箱20の上方開口部から螺入したパッキン押さえ22とから成る。
又、小型タンク２の天板2a上面には、スリーブ16上端を囲繞する突堤23を立設し、万一に小型タンク２内の液体Ｌが軸封装置19から外部へ少しずつ漏洩しても突堤23を超えて小型タンク２外部へ漏出しない様にしている。
【００２３】
ポンプ本体７には、プランジャ18を上端開口部から遊嵌したシリンダ24が内装され、該シリンダ24は下端開口部が水密状に閉塞されると共に、その下端周壁に、液体Ｌの吸入口25と吐出口26を直径方向で対向する様に開設している。
プランジャ18の下端部には、吸入口25及び吐出口26とシリンダ24内部との連通・遮断を司る切欠部27を設けている。
この切欠部27の形状、そして吸入口25及び吐出口26と切欠部27との位置関係は、ポンプ本体７の吸入工程開始直前において、切欠部27が吸入口25を開放させると共に、プランジャ18の周壁面によって吐出口26が閉塞され、吐出工程の開始直前において吸入工程と逆になる様に設定している。
【００２４】
吐出口26は液体Ｌを小型タンク２外部へ送出する流出路28に連結されており、該流出路28は、以下の各種流路構成部材29〜33によって構成される。
即ち、吐出口26にボール逆止弁付き管継手29を介して直立管30の下端部を連結し、該直立管30においてフランジ16ａを水密状に貫通突出した上端部をテーブル９下面適所より穿孔形成した通液路31の始端に水密状に連結し、テーブル９上面適所に開設される通液路31の終端を作動確認ゲージ32を介してホース33に連結している。
尚、作動確認ゲージ32は、通液路31に連通する下端口にボール逆止弁を設けてテーブル９上面適所に立設した透明な筒型のケーシングを備えており、該ケーシングに内装したフロートが浮動することで液体Ｌの通過を視認できる様にしている。
【００２５】
空気抜手段５は、止め弁４を開放して大型タンクＴから液体Ｌを小型タンク２内へ初めて導入する時に小型タンク２内に滞留し易い空気や、液体Ｌから遊離したガスの発生により、小型タンク２内に液体Ｌを充満させられなかったり、その気体の圧力によりポンプ本体７が液体Ｌを吸い込めずに空転するなどの不具合を解消するために、小型タンク２内とその外部とを連通・遮断する様に、小型タンク２の天板2a上面の片隅に立設した手動式のコックであり、小型タンク２の透明な側面を通して内部に気体の滞留が確認された時に空気抜手段５により滞留気体を外部へ排気することで確実に小型タンク２内に液体Ｌのみを充満させる。
尚、本実施例では、手動式のコックを空気抜手段５と成したが、自動の空気抜き弁などを使用しても良い。
【００２６】
上記構成の液体供給装置１にあっては、大型タンクＴに止め弁４を介して小型タンク２を連結した後に止め弁４を開弁して大型タンクＴ内の液体Ｌを小型タンク２内へ導入する。
このとき、小型タンク２内に空気が滞留して液体Ｌを満たすことができないことが、その透明な側面を通して視認された時には、空気抜手段５により小型タンク２内と外部を連通して排気する。
【００２７】
排気後は、空気抜手段５による外部との連通を遮断し、小型タンク２内は液体Ｌで満たされる。
尚、液体Ｌから遊離したガスの発生で小型タンク２内に液体Ｌを充満させられない様な場合も、上記と同様に空気抜手段５にてガスを排気する。
【００２８】
そして、モータ11を起動させると、円筒カム12が回転し、これに伴ってカム溝12ａに装着された係合ノブ15によりカムフォロア15が昇降軸8bを介してプランジャ18を所定サイクルで上下動させる。
一方、円筒カム12の回転は、原動及び従動歯車13、14を介して回転軸8aに伝動すると共に、回転軸8aの回転はスプライン軸接手8cを介して昇降軸8b及びプランジャ18に伝えられる。
尚、伝動軸８は、昇降軸8b上端に回転軸8a下端が上下摺動自在に挿嵌して成るので、昇降軸8bの上下動は回転軸8aに伝わらず、該回転軸8aは支障なく回転でき、この回転を昇降軸8bに伝動する。
【００２９】
上記の様にモータ11の作動で上下動及び回転する伝動軸８により、プランジャ18は上下に直線往復動すると同時にその軸回りに回転する。
即ち、プランジャ18は、その下動（吐出工程）を終えて、切欠部27が吸入口25に位置対応する様に回転すると、吸入口25が開放されると共に、プランジャ18の周壁面により吐出口26が閉鎖され、この状態を保持しながらプランジャ18が上動する（吸入工程に移る）ことにより、吸入口25から小型タンク２内の液体Ｌをシリンダ24内に吸入する。
プランジャ18が上限位置に達した（吸入工程を終えた）時には、切欠部27は吸入口25及び吐出口26に対応しない位置に回転移動されて、吸入口25も閉鎖される。
【００３０】
次いで、プランジャ18が吐出工程に移ると、吸入口25は閉鎖が保持された状態で、回転が進み切欠部27が吐出口26を次第に開放させながら下動し、シリンダ24内に吸入した液体Ｌを吐出口26から吐出する。
吐出工程を終えた時には、吐出口26は閉鎖されて、プランジャ18の１サイクルが終了する。
【００３１】
この動作が繰り返されることで連続的に小型タンク２を介して大型タンクＴ内の液体Ｌを外部へ移送する。
又、液送ポンプ３は、ポンプ本体７が小型タンク２内の液体Ｌに浸漬して運転させているから、その液体Ｌが次亜塩素酸ナトリウム溶液の様に遊離ガスの発生し易い性質を有していても、その遊離ガスを吸込むことなく、正常に液体Ｌを移送する。
【００３２】
この様に、本発明に係る液体供給装置１は、小型タンク２を大型タンクＴに連結して、大型タンクＴの液体Ｌの圧力を小型タンク２にも作用させるだけのため、大型タンクＴとの連結配管を延長すれば、図示例の様に小型タンク２を大型タンクＴに隣接することなく、適宜場所への設置を可能としている。
【符号の説明】
【００３３】
２  小型タンク
2a  天板
３  液送ポンプ
５  空気抜き手段
６  駆動部
７  ポンプ本体
８  伝動軸
19  軸封装置
Ｌ  液体
Ｔ  大型タンク
【図１】
2010281293.tif 000003
【図２】
2010281293.tif 000004
【図３】
2010281293.tif 000005
【図４】
2010281293.tif 000006